(57)【特許請求の範囲】
【請求項１】
遊技機ホールのパチンコ機用島設備に設置可能に方形枠状に形成された外枠の前側に、本体枠ヒンジ機構によって本体枠が開閉可能に装着され、前記本体枠の略中央部に、枠状をなす遊技ユニット装着部が設けられ、前記遊技ユニット装着部に、その前側開口部から遊技ユニットが着脱交換可能に嵌込まれて装着され、前記本体枠の前側に、扉体ヒンジ機構によって扉体が開閉可能に装着された遊技機であって、
前記遊技ユニットは、
周壁と後壁を有して前方に開口する箱形状に形成された収納ボックスと、
図柄を変動表示する機械式図柄表示装置と、
制御基板を視認可能に収納する制御基板ボックスと、
遊技の演出表示をする演出表示装置と、を少なくとも備えて一つにユニット化され、
前記機械式図柄表示装置及び前記制御基板ボックスは、前記収納ボックス内に収納され、
前記演出表示装置は、その表示面を前向きにして一側部がヒンジ機構によって前記収納ボックスの前側開口部の一側部に開閉可能に装着され、
前記演出表示装置が閉じ位置に配置されたときには前記制御基板ボックスの前側が該演出表示装置によって覆われ、
前記演出表示装置が前記ヒンジ機構のヒンジ中心を支点として前方に開かれたときには前記制御基板ボックスの前側が前記収納ボックスの前側開口部から視認可能に、前記収納ボックス内に前記制御基板ボックスが収納され、
前記扉体と前記演出表示装置とは、遊技機の一側部において所定距離を隔てるそれぞれのヒンジ機構のヒンジ中心を支点として同方向に開閉可能に設けられ、
さらに前記演出表示装置と前記扉体との間には、前記扉体の開閉動作に連動してその開閉方向と同方向に前記演出表示装置を開閉動作させる開閉連動機構が設けられていることを特徴とする遊技機。
【請求項２】
請求項１に記載の遊技機であって、
制御基板ボックスは、その制御基板の表面が前方に指向しかつ演出表示装置と並行状をなして機械式図柄表示装置の上面又は下面に支持体によって起立状態に支持されていることを特徴とする遊技機。
【請求項３】
請求項１又は２に記載の遊技機であって、
演出表示装置と収納ボックスとの間には、前記演出表示装置を閉鎖位置で封印する封印手段が設けられていることを特徴とする遊技機。
【発明の詳細な説明】
【技術分野】
【０００１】
この発明は、遊技機ホールのパチンコ機用島設備に設置可能なパチンコ機、スロットマシン等の遊技機に関する。
【背景技術】
【０００２】
パチンコ機、あるいはパチンコ球を使用してスロット遊技（スロットマシンで行われる遊技に似た遊技のことをいう）を行う遊技機においては、例えば、特許文献１、２等に開示された構造のものが知られている。
これにおいては、遊技機ホールのパチンコ機用島設備に設置可能な大きさの方形枠状に形成された外枠の前側に本体枠ヒンジ機構によって本体枠が開閉可能に装着される。この本体枠の略中央部には、前後両方向に開口部を有して枠状をなす遊技ユニット装着部が設けられ、遊技ユニット装着部には、その前側開口部から遊技ユニットが着脱交換可能に嵌込まれる一方、本体枠の前側には、扉体ヒンジ機構によって扉体が開閉可能に装着される。
また、遊技ユニットは、ユニット本体をなす板状の遊技盤の略中央部に開口窓が貫設され、その開口窓に臨んで図柄を変動表示する機械式図柄表示装置（リール形式、ベルト形式等の機械式図柄表示装置）が装着され、その機械式図柄表示装置の後側に制御基板が収納された制御基板ボックス等が装着されて一つにユニット化されている。
【０００３】
【特許文献１】特開２００４−２０１８９６号公報
【特許文献２】特開２００４−２１６１４０号公報
【発明の開示】
【発明が解決しようとする課題】
【０００４】
ところで、特許文献１及び２に開示された遊技機において、外枠は、パチンコ機用島設備に設置可能な大きさの方形枠状に形成され、スロットマシンに採用されている箱形状の筐体（リール形式の機械式図柄表示装置、制御基板ボックス、メタルタンク、メタル払出装置等等が収納される）と異なり、後方にも開口する。
したがって、外枠に本体枠ヒンジ機構によって本体枠が開閉可能に装着され、本体枠の遊技ユニット装着部に遊技ユニットが装着され、本体枠の前側に扉体ヒンジ機構によって扉体が開閉可能に装着された状態において、遊技ユニットの機械式図柄表示装置の後側に装着された制御基板ボックスは、遊技機の後側において露出した状態となる。
このため、遊技機の後側から制御基板ボックスの制御基板に対し不正行為（例えば、制御基板のＲＯＭが不正ＲＯＭと不測に交換される不正行為）がされやすい、という問題点があった。
そこで、遊技機の後側に保護カバーを装着し、その保護カバーによって制御基板ボックスを覆って保護し、これによって、遊技機の後側からの制御基板ボックスの制御基板に対する不正行為を防止することが考えられる。しかしながら、この場合においては、遊技機の後側に配置されている制御基板ボックスやその他の装置を点検したり、あるいは不正の有無を確認するために、保護カバーを着脱可能に装着したり、あるいは開閉可能に装着する必要がある。
さらに、制御基板ボックス及びその制御基板の点検や不正の有無を確認する度毎に、前もって保護カバーを取り外したり、あるいは開放し、その作業後、保護カバーを元の状態に装着したり、あるいは閉鎖しなければならず、これらの作業に多くの手間や時間が必要となる。
また、仮に、方形枠状をなす外枠を、スロットマシンに採用されているような後壁によって後側が塞がれた箱形状の筐体に換えた場合、遊技機の後側からの制御基板ボックスの制御基板に対する不正行為は防止できる。しかしながら、この場合においては、箱形状の筐体によって遊技機の奥行き寸法が大きくなり、パチンコ機用島設備に設置することが困難となる。
【０００５】
この発明の目的は、前記問題点に鑑み、パチンコ機用島設備に設置可能に構成すると共に、遊技機の後側からの制御基板ボックス及びその制御基板に対する不正行為を防止することができ、しかも、制御基板ボックス及びその制御基板の点検、あるいは不正の有無の確認を容易に行うことができる遊技機を提供することである。
【課題を解決するための手段】
【０００６】
前記目的を達成するために、請求項１の発明に係る遊技機は、
「遊技機ホールのパチンコ機用島設備に設置可能に方形枠状に形成された外枠の前側に、本体枠ヒンジ機構によって本体枠が開閉可能に装着され、前記本体枠の略中央部に、枠状をなす遊技ユニット装着部が設けられ、前記遊技ユニット装着部に、その前側開口部から遊技ユニットが着脱交換可能に嵌込まれて装着され、前記本体枠の前側に、扉体ヒンジ機構によって扉体が開閉可能に装着された遊技機であって、
前記遊技ユニットは、
周壁と後壁を有して前方に開口する箱形状に形成された収納ボックスと、
図柄を変動表示する機械式図柄表示装置と、
制御基板を視認可能に収納する制御基板ボックスと、
遊技の演出表示をする演出表示装置と、を少なくとも備えて一つにユニット化され、
前記機械式図柄表示装置及び前記制御基板ボックスは、前記収納ボックス内に収納され、
前記演出表示装置は、その表示面を前向きにして一側部がヒンジ機構によって前記収納ボックスの前側開口部の一側部に開閉可能に装着され、
前記演出表示装置が閉じ位置に配置されたときには前記制御基板ボックスの前側が該演出表示装置によって覆われ、
前記演出表示装置が前記ヒンジ機構のヒンジ中心を支点として前方に開かれたときには前記制御基板ボックスの前側が前記収納ボックスの前側開口部から視認可能に、前記収納ボックス内に前記制御基板ボックスが収納され、
前記扉体と前記演出表示装置とは、遊技機の一側部において所定距離を隔てるそれぞれのヒンジ機構のヒンジ中心を支点として同方向に開閉可能に設けられ、
さらに前記演出表示装置と前記扉体との間には、前記扉体の開閉動作に連動してその開閉方向と同方向に前記演出表示装置を開閉動作させる開閉連動機構が設けられていることを特徴とする遊技機。」
を要旨とする。
【０００７】
前記構成において、遊技機ホールのパチンコ機用島設備に設置可能に方形枠状に形成された外枠に本体枠ヒンジ機構によって本体枠が開閉可能に装着され、本体枠の遊技ユニット装着部に遊技ユニットが装着され、本体枠の前側に扉体ヒンジ機構によって扉体が開閉可能に装着されることによって、遊技機ホールのパチンコ機用島設備に設置可能な遊技機が構成される。
そして、遊技ユニットの収納ボックス内には制御基板ボックスが収納されて保護される。また、収納ボックスの前側開口部の一側部に開閉可能に装着された演出表示装置によって制御基板ボックスの前側が覆われる。
このため、遊技機の後側から制御基板ボックスの制御基板に対し不正行為（例えば、制御基板のＲＯＭが不正ＲＯＭと不測に交換される不正行為）がなされることを遊技ユニットの収納ボックスによって防止することができる。
さらに、遊技機の前側から制御基板ボックスの制御基板に対し不正行為がなされることを演出表示装置によって防止することができる。
遊技ユニットの収納ボックス内に収納された制御基板ボックス及びその制御基板の点検をしたり、あるいは制御基板ボックスに対する不正の有無を確認する場合、本体枠の前側に、扉体ヒンジ機構によって扉体が開かれた状態で、演出表示装置がヒンジ機構のヒンジ中心を支点して前方に開かれる。これによって、制御基板ボックスの前側が収納ボックスの前側開口部から視認可能となるため、制御基板ボックス及びその制御基板の点検や不正の有無の確認を目視によって容易に行うことができる。
前記したように、この発明によれば、パチンコ機用島設備に設置可能に構成すると共に、遊技機の後側からの制御基板ボックスの制御基板に対する不正行為を防止することができ、しかも、制御基板ボックス及びその制御基板の点検、あるいは不正の有無の確認を容易に行うことができる。
【０００８】
また、前記構成において、扉体が前方に開かれると、開閉連動機構によって扉体の開き動作に連動して演出表示装置が前方に開かれる。
これとは逆に、扉体が元の位置まで閉じられると、開閉連動機構によって扉体の閉じ動作に連動して演出表示装置が元の位置まで閉じられる。
このため、制御基板ボックス及びその制御基板の点検、あるいは不正の有無の確認を行う場合においては、扉体を前方に開くことによって、これに連動して演出表示装置が前方に開かれるとともに、制御基板ボックス及びその制御基板が前方から視認可能となる。このため、制御基板ボックス及びその制御基板の目視による点検、あるいは不正の有無の確認を容易に行うことができる。
しかも、制御基板ボックス及びその制御基板の定期的あるいは不定期的な点検以外、例えば、扉体を前方に開いて球詰まりの解消作業を行ったり、あるいは各種部品を点検、交換する場合等において、扉体の開き動作に連動して演出表示装置が前方に開かれるとともに、制御基板ボックス及びその制御基板が前方から視認可能となる。このため、制御基板ボックス及びその制御基板に対する不正行為を早期に発見することが可能となる。
【０００９】
請求項２の発明に係る遊技機は、
「請求項１に記載の遊技機であって、
制御基板ボックスは、その制御基板の表面が前方に指向しかつ演出表示装置と並行状をなして機械式図柄表示装置の上面又は下面に支持体によって起立状態に支持されていることを特徴とする遊技機。」
を要旨とする。
【００１０】
前記構成において、収納ボックスの前側開口部から起立状態にある制御基板ボックスの制御基板の表面を容易に視認することができる。
さらに、制御基板の表面が前方に指向して演出表示装置と並行状をなすため、制御基板ボックスと演出表示装置との間に無駄な空間を設けることなく制御基板ボックスと演出表示装置とを前後に接近させて合理的に配置することができる。
【００１１】
請求項３の発明に係る遊技機は、
「請求項１又は２に記載の遊技機であって、
演出表示装置と収納ボックスとの間には、前記演出表示装置を閉鎖位置で封印する封印手段が設けられていることを特徴とする遊技機。」
を要旨とする。
【００１２】
前記構成において、遊技ユニットを単独で保管したり、あるいは単独で運搬する場合において、収納ボックスに対し演出表示装置が封印手段によって閉鎖位置に封印されることによって、制御基板ボックスに対する不正行為を防止することができる。
【００１３】
請求項５の発明に係る遊技機は、
「請求項４に記載の遊技機であって、
開閉連動機構は、扉体の開閉動作に連動しかつ演出表示装置を所定の姿勢に保持して開閉動作するリンク機構によって構成されていることを特徴とする遊技機。」
を要旨とする。
【００１４】
前記構成において、扉体の開閉動作に連動してリンク機構によって演出表示装置が所定の姿勢に保持されて開閉動作される。このため、扉体の開閉動作時において扉体の後面やその後面に配設された各種部品に演出表示装置が当たったり、あるいは扉体の後側に配線された接続線に演出表示装置が引っかかり、接続線が損傷される等の不具合を防止することができる。
【００１５】
請求項６の発明に係る遊技機は、
「請求項５に記載の遊技機であって、
開閉連動機構を構成するリンク機構は、対のリンクアームを有し、これら対のリンクアームの一端部が扉体又は演出表示装置に回動可能に連結され、前記対のリンクアームの他端部が演出表示装置又は扉体の横方向にスライド可能に設けられたスライド体に回動可能に連結されて平行リンク機構をなしていることを特徴とする遊技機。」
を要旨とする。
【００１６】
前記構成において、開閉連動機構を構成するリンク機構が平行リンク機構をなすため、扉体の開閉動作に連動して扉体と平行状態を保って演出表示装置が開閉動作される。これによって、扉体の開閉動作時において扉体に対する演出表示装置の衝突や扉体の後側の接続線の損傷をより一層良好に防止することができる。
【発明を実施するための最良の形態】
【００１７】
次に、この発明を実施するための最良の形態について、実施例にしたがって説明する。
【実施例】
【００１８】
図１はこの発明の実施例に係る遊技機を前方から示す斜視図である。図２は外枠に対し本体枠が開放された状態を前方から示す斜視図である。図３は本体枠に対し扉体が開放された状態を前方から示す斜視図である。図４は遊技機の正面図である。図５は遊技機の背面図である。図６は後カバー体を外して第１、第２接続線束が本体枠の配線孔の後側から挿通された状態を示す背面図である。図７は後カバー体を外して第３接続線束の端末コネクタが払出制御基板の基板コネクタに接続された状態を示す背面図である。図８は遊技機の側面図である。図９は球取込装置を示す斜視図である。図１０は球取込装置の正断面面である。図１１は本体枠の遊技ユニット装着部に遊技ユニットが装着された状態を前方から示す斜視図である。図１２は本体枠の遊技ユニット装着部に遊技ユニットが装着された状態を後方下側から示す斜視図である。図１３は本体枠を前方下側から示す斜視図である。図１４は本体枠を後方下側から示す斜視図である。図１５は本体枠の後塞ぎ壁の前側に取り付けられるコネクタ支持体にコネクタが配置された状態を示す正面図である。図１６は図１５のＸＶＩ−ＸＶＩ線に基づく平断面図である。図１７は遊技ユニットを示す正面図である。図１８は電気式表示装置を取り外した状態の遊技ユニットを示す正面図である。図１９は遊技ユニットの構成部材を分解して前方から示す斜視図である。図２０は遊技ユニットの機械式回転図柄装置と電気式表示装置の装着状態を後方から示す斜視図である。図２１は遊技ユニットの機械式回転図柄装置と制御基板ボックスとが収納ボックスによって一括的に収納された状態を後方から示す斜視図である。図２２は本体枠の遊技ユニット装着部に遊技ユニットが装着された状態を示す側断面図である。図２３は本体枠の遊技ユニット装着部に遊技ユニットが装着された状態を示す平断面図である。図２４は遊技ユニットの機械式回転図柄装置の支持体と電気式表示装置との間に配設された表示装置ヒンジ機構を斜め左上前方から示す分解斜視図である。図２５は遊技ユニットの収納ボックスと電気式表示装置との間に配設された封印手段を斜め右下前方から示す斜視図である。図２６は本体枠に対し扉体が開放された状態を前方から拡大して示す斜視図である。図２７は本体枠に対し扉体が開放されたときの開閉連動機構を示す斜視図である。図２８は電気式表示装置と扉体との間に配設された開閉連動機構を示す斜視図である。図２９は開閉連動機構の構成部品を分解して示す斜視図である。図３０は外枠に対し本体枠及び扉体が閉じられた状態にあるときの開閉連動機構を示す平断面である。図３１は外枠に対し本体枠及び扉体が半開き状態にあるときの開閉連動機構を示す平断図である。図３２は外枠に対し本体枠及び扉体が開かれた状態にあるときの開閉連動機構を示す平断図である。図３３は各種の電気的装置及び部品等に係る配線接続を例示するブロック図である。なお、説明の便宜上、遊技機において遊技者側を前、反対側を後という。
【００１９】
［遊技機の概要について］
本実施例に係る遊技機は、主に図１〜図８に示すように、基本的には、外枠１０、扉体２１、本体枠７０、遊技ユニット１００等を備えて構成されている。
外枠１０は、遊技機ホールのパチンコ機用島設備に設置可能に方形枠状に形成され、その下部前面には、本体枠７０の下面を受ける受け板１５が一体状に設けられている。なお、外枠１０は、遊技機ホールのパチンコ機用島設備に設置される通常のパチンコ機に採用されている外枠と同様な外郭寸法及び奥行き寸法に設定されており、通常の形状、構造のパチンコ機に採用されている外枠を用いることもできる。
【００２０】
図１と図２に示すように、外枠１０の前側には、その片側の上下部に配設された本体ヒンジ機構６０によって本体枠７０が開閉（左右の横開き）可能に装着されている。
この実施例において、本体ヒンジ機構６０は、外枠１０に対し本体枠７０を、その開閉支点を左右方向に変化させ、かつ本体枠７０を前方に向けて適宜に変位させながら開放するように、外枠１０側のヒンジ部材と、本体枠７０側のヒンジ部材と、一端部がピンによって外枠１０側のヒンジ部材に回動可能に連結され、他端部がピンとスライド溝によって本体枠７０側のヒンジ部材に回動及びスライド可能に連結された支持アーム６１とを備えたスライドヒンジ機構によって構成されている。
【００２１】
［扉体について］
図３に示すように、本体枠７０の前側には、その本体ヒンジ機構６０寄り部分に配置された扉体ヒンジ機構２０によって扉体２１が開閉（左右の横開き）可能に装着されている。
扉体２１の略中央部には、後述する遊技ユニット１００の機械式回転図柄装置１１０の複数の回転図柄表示体１１１の前側部をガラス板、透明樹脂板等の透視板２３ａを透して透視可能な主開口窓２３が形成されている。
また、扉体２１の上部には、後述する遊技ユニット１００の電気式表示装置１３０の電気式表示器１３１の表示面を、ガラス板、透明樹脂板等の透視板２４ａを透して透視可能な副開口窓２４が形成されている。
【００２２】
図１に示すように、扉体２１の前側下部、つまり前記主開口窓２３の下方前側に、操作部設置台２２が前方に向けて突出されており、この操作部設置台２２の上面には手動操作できる球投入ボタン（マックスベッドボタンすなわち最大賭け数設定ボタン）４０が設けられ、同操作部設置台２２の前面には、手動操作できる始動レバー４１、第１ストップボタン４２、第２ストップボタン４３、第３ストップボタン４４等がそれぞれ配設されている。
また、操作部設置台２２の側部（図１及び図４の左側部）には、隣接する遊技機の間に設置される球貸機２００の球放出樋２０１の放出口から放出される遊技媒体としてのパチンコ球を受け入れる球受入口２５が設けられている。
また、扉体２１の前側下部には、その操作部設置台２２の下方に位置して球受け皿２６が設けられている。
なお、扉体２１の前側には、球貸機２００に対する貸球ボタン、返却ボタン、精算ボタン（図示しない）等が配設されている。
【００２３】
図３に示すように、扉体２１の後側には、賞球用の球受入口２５の後側開口部２５ａ及び球受け皿２６の後側開口部２６ａを連絡する連絡通路を有する連絡通路部材２９（想像線で示す）が設置され、この連絡通路部材２９には、後述する球払出装置１６６の払出口と球受け皿２６の後側開口部２６ａと連通しかつ多量のパチンコ球を貯留可能な球貯留部兼用の連絡通路が形成されるようになっている。
そして、扉体２１の閉鎖時には、連絡通路部材２９の球受け口（図示しない）が後述する球払出装置１６６の払出口に連通するとともに、球受け皿２６と連絡通路部材２９には、球貸機２００の球放出樋２０１から放出された貸し球としてのパチンコ球と、球払出装置１６６から払い出された賞球としてのパチンコ球とが貯留されるようになっている。
また、図９と図１０に示すように、球受け皿２６の下流路側は、パチンコ球Ｂを前後２列に整列させて次に述べる球取込装置３０に供給するための前後２列の球整列路２８が仕切り壁２８ａによって区画形成されている。
【００２４】
［扉体の球取込装置について］
図３と図４に略示するように、扉体２１の下部領域の内部には、球受け皿２６の球整列路２８のパチンコ球を、球投入ボタン４０の手動操作に基づいて作動する駆動モータ（この実施例では可逆転モータ）３５を駆動源として取り込み及び球抜きが可能な球取込装置３０が設けられている。
この球取込装置３０は、図９と図１０に示すように、球受け皿２６の前後２列の球整列路２８にそれぞれ個別に連通する前後２列の球取込路３２を区画形成する複数の球通路構成体３１と、各列の球取込路３２内のパチンコ球Ｂを一方向の回転動作によって取り込むスプロケット状の前後２個の球取込回転体３３と、これら両球取込回転体３３によって取り込まれたパチンコ球Ｂをそれぞれ個別に検出する前後２個の球検出器３６とを備えて構成されている。そして、これら両球取込回転体３３は、一基の駆動モータ３５によって駆動される駆動軸３５ａ上に設けられている（図１０参照）。
【００２５】
すなわち、球投入ボタン４０の手動操作に基づいて駆動モータ３５が作動され、駆動軸３５ａと共に、前後の両球取込回転体３３が一方向（図１０において反時計回り方向）に回転駆動されることで、前後２列の球取込路３２内のパチンコ球Ｂが取り込まれる。その後、前後２個の球検出器３６によって検出されたパチンコ球Ｂの合計の数が、ゲームの賭け数に応じたパチンコ球Ｂの数に達して取り込まれたことを条件として、駆動モータ３５が停止される。ここで、始動レバー１４１を手動操作することで、後述する機械式回転図柄装置１１０の複数の回転図柄表示体１１１がそれぞれ回転するようになっている。
なお、球取込装置３０の前後２個の球検出器３６を通過したパチンコ球Ｂは排出誘導路を有する誘導筒（共に図示しない）に誘導されて機外に排出され、パチンコ機用島設備に設置された球回収通路（図示しない）に導かれるようになっている。
【００２６】
また、この実施例において、図９と図１０に示すように、球取込装置３０の複数の球通路構成体３１の内部には、前後の両球取込回転体３３の上流側に位置する前後２列の球取込路３２の部分に連通可能な球抜き通路３７が形成されており、この球抜き通路３７の球流入口には、常には、ばね３８によって閉鎖位置に配置保持される左右スライド開閉式の球抜き用の通路開閉部材３９が配設されている。
また、通路開閉部材３９は、遊技機の前側から遊技者が手動操作できるように連動部３９ａが設けられている。そして、遊技者の手動操作によって、連動部３９ｂを介して通路開閉部材３９がばね３８の弾発力に抗して開放位置までスライドされることで、球受け皿２６内のパチンコ球Ｂが、前後２列の球整列路２８、前後２列の球取込路３２を経て球抜き通路３７に自重によって流れるようになっている。
【００２７】
また、この実施例において、通路開閉部材３９が開放位置に配置されたときには、その通路開閉部材３９を検出する検出器（図示しない）の信号に基づいて駆動モータ３５が逆転作動される。そして、前後の両球取込回転体３３が球取込方向とは反対方向（図１０において反時計回り方向）に回転駆動されることで、前後の両球取込回転体３３上に保留されているパチンコ球Ｂが球抜き通路３７に放出されるようになっている。
なお、球抜き通路３７の下端出口は、扉体２１の下端部に設けられた球通路（図示しない）に連通している。そして、球抜き通路３７の下端出口から扉体２１の下端部の球通路を通過したパチンコ球Ｂは、パチンコ機用島設備に設置された球回収通路（図示しない）に導かれるようになっている。
【００２８】
また、この実施例において、球取込装置３０の球取込路３２を流れるパチンコ球Ｂを遊技機の前側から遊技者が視認できるように、球取込装置３０の球通路構成体３１及びその球通路構成体３１に対面する扉体２１の対応部分が透明な合成樹脂材によって形成されたり、あるいは透視孔が形成される。
【００２９】
また、この実施例において、図３に示すように、扉体２１には、その主開口窓２３及び副開口窓２４の周囲を取り囲むようにして、装飾ランプ、各種の表示ランプ等を有するランプ基板３７、トップランプ基板（図示しない）や左右のスピーカ（例えば、高中音用スピーカ）３８等が配置されており、そして、扉体２１の下部のヒンジ側角部には、ランプ基板３７、トップランプ基板や左右のスピーカ３８等が電気的に接続される扉装飾駆動基板４７が設置されている。
また、扉体２１の下部の略中央部には、球投入ボタン４０、始動レバー４１、第１〜第３ストップボタン４２〜４４、球取込装置３０の駆動モータ３５等が電気的に接続される操作中継基板４８が設置されている（図３３参照）。
【００３０】
［施錠装置について］
図２、図３、図１１及び図１２に示すように、本体枠７０の後面には、その本体ヒンジ機構６０とは反対側の自由端寄り部分において、外枠１０に対する本体枠７０の施錠と、本体枠７０に対する扉体２１の施錠を行う施錠装置５０が取り付けられいる。
この施錠装置５０は、本体枠７０の後面にビス固定された取付基板５０ａに組み付けられたシリンダ錠５１と、取付基板５０ａに上下動可能に組み付けられた本体枠施錠部材５４と、扉施錠部材（図示しない）と、シリンダ錠５１の鍵孔に鍵が挿入された状態で正逆方向（左右方向）に回動可能に組み付けられた解錠部材５３とを備えている。
そして、本体枠施錠部材５４には、外枠１０の前側に本体枠７０が閉じられたときに、外枠１０の右側枠杆１０ａの内側上下に取り付けられた閉止具５６（図２参照）に係脱可能に係合して本体枠７０を閉鎖位置に施錠する上下２個の本体枠施錠フック５５が設けられている。また、扉施錠部材（図示しない）には本体枠７０の後面から前面に開口する孔に向けて嵌挿され、本体枠７０の前側に扉体２１が閉じられたときに、その扉体２１の後面に固定された閉止具５９に係脱可能に係合して扉体２１を閉鎖位置に施錠する上下２個の扉施錠フック５８が設けられている。
また、シリンダ錠５１は、扉体２１の自由端寄り部分に設けられた貫通孔２９を貫通して露出されている（図１及び図３参照）。
【００３１】
［本体枠について］
図１１〜図１４に示すように、本体枠７０は、本体枠７０の外形枠（外郭枠）をなす前枠部７１及び収納枠部をなす遊技ユニット装着部８０を備え、かつこれら前枠部７１及び遊技ユニット装着部８０が合成樹脂材によって一体に形成（一体成形）されている。
また、合成樹脂製の本体枠７０の前枠部７１は、外枠１０の前側形状（受け板１５を除く外郭形状）と略同じ大きさの方形枠状に形成され、その前枠部７１の略中央内部には、後述する遊技ユニット１００の収納ボックス１５０に対応する遊技ユニット装着部８０が一体成形されている。
遊技ユニット装着部８０は、遊技ユニット１００が、その収納ボックス１５０において前方から嵌込まれて着脱可能に装着される方形箱枠状をなし、かつパチンコ機用島設備に設置可能な奥行き寸法の範囲内で後方に向けて大きく突出して一体成形されている。この遊技ユニット装着部８０の奥行き寸法は、図２２に示すように、概ね回転図柄表示体１１１の直径寸法の３／４程度であるが、少なくとも、回転図柄表示体１１１の直径寸法の半分を越える寸法に一体成形することにより、遊技ユニット１００の重心を受けて遊技ユニット１００を安定よく保持できるようになっている。なお、遊技ユニット装着部８０の下部は、遊技ユニット１００の収納ボックス１５０の下部の段差形状に対応して段差形状に形成されている。ちなみに、パチンコ機用島設備に設置可能な奥行き寸法は、外枠１０の前端から後方に約１７０ｍｍ程度隔てた寸法である。
【００３２】
図１４と図２２に示すように、遊技ユニット装着部８０の底板部８５の後端縁（奥側端縁）には、遊技ユニット１００の収納ボックス１５０の後壁１５１下部に接近あるいは当接するストッパ部９０が突設されている。
また、図１１と図１３に示すように、遊技ユニット装着部８０の前端部の上下部には、同遊技ユニット装着部８０の開口窓に嵌込まれる遊技ユニット１００の収納ボックス１５０の前端縁上下部に係脱可能に係合して、遊技ユニット装着部８０内に遊技ユニット１００を不動状態で保持するための手動レバー形態の留め具９８が取付ねじを中心として回動可能に組み付けられている。
すなわち、留め具９８は、図１３に示すように、取付ねじに対するボス部９８ａと、そのボス部９８ａから突出された操作部９８ｂと、遊技ユニット１００の収納ボックス１５０の前端縁を係脱可能に係止する係止部９８ｃとを一体に備えている。そして、係止部９８ｃが非係止位置に配置された状態で、遊技ユニット装着部８０の前側開口部から遊技ユニット１００の収納ボックス１５０が嵌込まれた後、留め具９８が略９０度回動操作されて係止位置に配置されることで、その係止部９８ｃが遊技ユニット１００の収納ボックス１５０の前端縁を係止して前方への変動、ガタツキを防止し得るようになっている。
また、遊技ユニット装着部８０には、後述する収納ボックス１５０を嵌込み案内するために、その上部及び下部の内壁面には、前後方向に延びる各複数の案内リブ８０ａ、８０ｂが突設されている。
【００３３】
［本体枠の後側構成について］
図２、図５、図６及び図７に示すように、本体枠７０の後側の上部には、パチンコ機用島設備側の球補給装置（図示しない）から供給されるパチンコ球を受けて貯留する箱形状の球タンク１６１と、その球タンク１６１から給出されるパチンコ球を受けて図示右側に流す傾斜状のレール通路を構成する球整流樋部材１６３が装着されている。
【００３４】
図２と図５〜図７に示すように、本体枠７０の後側の遊技ユニット装着部８０の片側（図示右側）には、縦長状にユニット化された賞球用の球払出装置１６６が装着されている。この球払出装置１６６は、球整流樋部材１６３における前後２列のレール通路の下流端に連通する前後２列の球通路１６６ａと、払出モータ（図示しない）を駆動源として前後２列の球通路１６６ａのパチンコ球を受けて払い出す前後２個の回転式の球払出部材（回転体）１６６ｃとが通路構成体に組み付けられて構成されている。また、球払出装置１６６から払い出された賞球は、前記した連絡通路部材２９の連絡通路を経て球受け皿２６に払い出されるようになっている。
【００３５】
［本体枠の下部領域の基板ボックス及び低音用スピーカについて］
図５〜図７、図１２及び図１４に示すように、遊技ユニット装着部８０の下方に位置する本体枠７０の下部領域の後側には、電源基板１８２が収納された電源基板ボックス１８１と、払出制御基板１８７が収納された払出制御基板ボックス１８６とが左右に所定間隔を隔てて適宜の装着手段によってそれぞれ装着されており、本体枠７０の下部領域には、払出制御基板ボックス１８６が装着される部分において次に述べる第１接続線束９２ａと第２接続線束９３ａとが後側から前側に向けて挿通可能な配線孔７５が貫設されている。
また、図１４に示すように、本体枠７０の下部領域の左右方向略中央部には、前方を開口する箱形状のスピーカボックス１７５が後方に向けて一体成形されて低音用スピーカ１９５（図３３参照）が収納されおり、そして、このスピーカボックス１７５の前側開口部には、透過口１９０ａを形成したスピーカ取付板１９０が装着されている（図１１参照）。
【００３６】
［本体枠の遊技ユニット装着部の後止め板について］
図５〜図７及び図１２〜図１４に示すように、遊技ユニット装着部８０の後側開口部には、その後側開口部の上部を塞ぎ、かつ遊技ユニット１００に対する後方ストッパ部としても機能する後止め板８７が本体枠７０と一体成形されている。
図１３と１４に示すように、後止め板８７の前側の左右両側部及び中間部には、扉体２１を含む本体枠７０側の電気機器及び／又は回路基板と、遊技ユニット１００の制御基板としての主制御基板１２１及び／又は周辺制御基板１２６とを電気的に接続するための、本体側コネクタとしての第１、第２及び第３コネクタ９２、９３、９５が、コネクタ支持体９１によって位置決めされて支持された状態で前方に向けて突出されている。
【００３７】
この実施例において、図１３〜図１６に示すように、コネクタ支持体９１は、本体枠７０と別体でかつ横長の板状に形成されており、後止め板８７の前側（内壁面）に突設された複数のボス部９０にビス９０ａ等によって装着されている。そしてこのコネクタ支持体９１の左右部及び中間部には、横長の貫通孔９１ａ、９１ｂ、９１ｃが貫設されている。また、コネクタ支持体９１の前面の左右部には、第１コネクタ９２と第２コネクタ９３とがこれらコネクタの前後方向略中央部に突出されたフランジ部９２ｃ、９３ｃにおいてビス９２ｄ、９３ｄ等によって取り付けられている。
すなわち、第１コネクタ９２と第２コネクタ９３は、各フランジ部９２ｃ、９３ｃの後方の各後側部が貫通孔９１ａ、９１ｂに嵌込まれて位置決めされた状態で、コネクタ支持体９１の前面に取り付けられることで、その各前側部が前方に向けて突出される。
そして、第１コネクタ９２の後側部から延出された第１接続線束９２ａが後止め板８７の前側と第１コネクタ９２との間の配線空間９２ｅに配線され、第２コネクタ９３の後側部から延出された第２接続線束９３ａが後止め板８７の前側と第２コネクタ９３との間の配線空間９３ｅに配線されるようになっている。
【００３８】
図１５と図１６に示すように、コネクタ支持体９１の後面の中間部には、外部情報・払出中継基板９４が位置決めされた状態でビス等によって取り付けられている。
この外部情報・払出中継基板９４の前面には、第３コネクタ９５が貫通孔９１ｃに挿通されて前方に向けて突出されている。
外部情報・払出中継基板９４の後面の下部には、左右２つの基板コネクタ９６、９７が配置され、これら基板コネクタ９６、９７からそれぞれ延出された第３接続線束９６ａと第４接続線束９７ａは、後止め板８７の前側と外部情報・払出中継基板９４との間の配線空間９６ｅに配線されている。
【００３９】
すなわち、この実施例において、後止め板８７にコネクタ支持体９１を取り付ける前に、コネクタ支持体９１に、第１、第２コネクタ９２、９３及び外部情報・払出中継基板９４の第３コネクタ９５が位置決めされて取り付けられる。これによって、第１、第２コネクタ９２、９３の前側部がコネクタ支持体９１の前面から前方に向けて突出されるとともに、外部情報・払出中継基板９４の第３コネクタ９５の前側部がコネクタ支持体９１の前面から前方に向けて突出されるようになっている。
そして、コネクタ支持体９１は、第１、第２コネクタ９２、９３と、第３コネクタ９５を有する外部情報・払出中継基板９４が装着された状態で、後止め板８７の前側（内壁面）に突設された複数のボス部９０にビス９０ａ等によって取り付けられている。
【００４０】
図５と図６に示すように、第１、第２コネクタ９２、９３から延出された第１、第２接続線束９２ａ、９３ａは、本体枠７０の下部領域の配線孔７５の後側から前側に向けて挿通される。そして、図３に示すように、第１接続線束９２ａの端末コネクタ９２ｂは、扉体２１の扉装飾駆動基板４７のコネクタ接続部に接続され、第２接続線束９３ａの端末コネクタ９３ｂは、扉体２１の操作中継基板４８のコネクタ接続部に接続されるようになっている。
また、図７に示すように、外部情報・払出中継基板９４の基板コネクタ９６から延出された第３接続線束９６ａの端末コネクタ９６ｂは、本体枠７０の下部領域に形成された配線孔７５を覆って払出制御基板１８７が装着された後、その払出制御基板１８７の基板コネクタに接続される。また、図６と図７に示すように、外部情報・払出中継基板９４の基板コネクタ９７から延出された第４接続線束９７ａの端末コネクタ９７ｂは、外部端子基板１５７のコネクタ接続部に接続されるようになっている。
なお、外部端子基板１５７は、主制御基板１２１及び払出制御基板１８７から外部情報・払出中継基板９４を介して伝達される球取込信号、払出信号、当たり信号等を外部に出力するものであり、遊技ユニット１００の収納ボックス１５０の後壁面上角部に設置されており、遊技ユニット装着部８０の後止め板８７の上角部には、外部端子基板１５７を後方に露出させる開口孔が形成されている。
【００４１】
前記したように、第１コネクタ９２、第２コネクタ９３及び第３コネクタ９５が本体枠７０と一体成形された後止め板８７の前側に設けられて覆われるとともに、後止め板８７と第１コネクタ９２、第２コネクタ９３及び第３コネクタ９５との間に設けられた配線空間９２ｅ、９３ｅ、９６ｅに、各コネクタから延出された第１接続線束９２ａ、第２接続線束９３ａ及び第３接続線束９６ａが挿通される。そして、第１コネクタ９２、第２コネクタ９３及び第３コネクタ９５の後側部や第１接続線束９２ａ、第２接続線束９３ａ及び第３接続線束９６ａを後止め板８７によって覆って保護することができる。ひいては、各コネクタ部分や第１接続線束９２ａ、第２接続線束９３ａ及び第３接続線束９６ａに対する不正基板の接続等の不正行為を防止することができる。
仮に、本体枠と別体に後止め板が形成されて本体枠の遊技ユニット装着部の後側開口部にビス等によって取り付けられた場合には、後止め板が取り外された状態で、本体側コネクタの部分や接続線束に不正基板が接続されて不正行為がなされることが想定される。
これに対し、後止め板８７を本体枠７０と一体成形することで、後止め板８７を取り外すことができないため、コネクタ部分や第１接続線束９２ａ、第２接続線束９３ａ及び第３接続線束９６ａに対する不正基板の接続等の不正行為を良好に防止することができる。
【００４２】
例えば、この実施例において、遊技ユニット１００の主制御基板１２１に接続される主中継基板１４１の第３コネクタ１４５と、外部情報・払出中継基板９４の第３コネクタ９５とのコネクタ接続部分及び外部情報・払出中継基板９４と、本体枠７０側の払出制御基板１８７とを接続する第３接続線束９６ａに対する不正基板の不測の接続を防止することができる。このため、本体枠７０側の払出制御基板１８７に対し不正信号が伝達されて球が不正に払い出される不正行為を防止することができる。
また、遊技ユニット１００の主制御基板１２１に接続される主中継基板１４１の第２コネクタ１４４と、本体枠７０側の回路基板としての開閉扉２１の操作中継基板４８の第２コネクタ９３とのコネクタ接続部分及び第２接続線束９３ａに対する不正基板の不測の接続を防止することができる。
これによって、主中継基板１４１を介して主制御基板１２１に不正信号が伝達されることを防止することができるため、球取込装置３０によって球が取り込まれたことを条件として遊技（始動）が可能な遊技機において、球の取り込みが行われない状態で遊技が不正に行われる不正行為を防止することができる。
【００４３】
また、この実施例において、第１〜第４接続線束９２ａ、９３ａ、９６ａ、９７ａは、複数（多数）の接続線が並列されて扁平に連結されたフラットケーブルによって構成されている。
また、この実施例において、図１２に示すように、後止め板８７のコネクタ支持体９１の左右両端から外側に外れた左右両端部において、その後止め板８７の後面から前方に向けて左右一対をなす有底筒状の凹部８８が形成され、その凹部８８の底面には、次に詳述する遊技ユニット１００の後上部に収納された中継基板ケース１４０の留め具１４８の操作部１４９が挿脱可能に貫挿され、かつこれら留め具１４８の操作部１４９に係脱可能に係合する係止孔８８ａが貫設されている（図１３参照）。
【００４４】
［遊技ユニットの概要について］
図１７〜図１９に示すように、遊技ユニット１００は、ユニット本体を構成する方形箱形状の収納ボックス１５０内に、機械式回転図柄装置１１０、電気式表示装置（この発明の遊技表示装置に相当する）１３０、主制御基板１２１（この発明の制御基板に相当する）を有する主制御基板ボックス（この発明の制御基板ボックスに相当する）１２０、周辺制御基板１２６を有する周辺制御基板ボックス１２５、中継基板ケース１４０等を備えて、全体が一つにユニット化されて構成されている。
【００４５】
［遊技ユニットの収納ボックスについて］
図２１〜図２３に示すように、遊技ユニット１００の収納ボックス１５０は、回転体収納フレーム１０２を含む機械式回転図柄装置１１０、主制御基板ボックス１２０、周辺制御基板ボックス１２５及び中継基板ケース１４０を一括的に収納して保護するものであり、合成樹脂材によって前方に開口する箱形状に形成されるとともに、本体枠７０の遊技ユニット装着部８０の開口前側から着脱可能に嵌込まれる大きさ及び形状に形成されている。
この実施例において、収納ボックス１５０は、その外郭形状が角張った形状に形成されている。すなわち、図１９と図２１に示すように、収納ボックス１５０は、上部の左右両側部の前側には外側に向けて張り出す張出部１５０ａ、１５０ｂが形成され、下部が図１９に向かって左側が高く右側が低い段差状に形成されている。
そして、本体枠７０の遊技ユニット装着部８０内に収納ボックス１５０が嵌込まれたときには、収納ボックス１５０の上部に形成された左右の張出部１５０ａ、１５０ｂの外側面が、遊技ユニット装着部８０の上部左右の内壁面に形成された複数の案内リブ８０ａの突出端又は内壁面に接近あるいは当接するとともに、下部の段差部１５０の外側面が遊技ユニット装着部８０の下部の一内壁面に形成された複数の案内リブ８０ｂに接近あるいは当接した状態において、同収納ボックス１５０の下部の上段下壁部１５３と下段下壁部１５５の下面が、遊技ユニット装着部８０の段差状の底板部８５に受承される。これによって、遊技ユニット装着部８０に収納ボックス１５０が位置決めされた状態で安定よく収納保持されるようになっている。
また、収納ボックス１５０の後壁１５１には、後に詳述する機械式回転図柄装置１１０の回転体収納フレーム１０２の後壁板１０３を露出させる放熱用の後開口窓１５２が貫設されている。
【００４６】
［遊技ユニットの機械式回転図柄装置について］
図２２に示すように、収納ボックス１５０の上段下壁部１５３上には、機械式回転図柄装置１１０が載置されて収納されるようになっている。
この実施例において、図２０と図２２に示すように、機械式回転図柄装置１１０は、金属板等の剛性を有する部材によって前方に開口する略方形箱形に形成された回転体収納フレーム１０２と、その回転体収納フレーム１０２の内部に横方向の軸回りに回転可能に収納された状態で横方向に配列された複数（例えば、左、中、右の３列の）の円形リールよりなる回転図柄表示体１１１によって構成されている。そして、機械式回転図柄装置１１０は、その回転体収納フレーム１０２の下面に取り付けられた下ベース板１０１ａが収納ボックス１５０の上段下壁部１５３上に略水平状に載置され、下ベース板１０１ａの前端の取付片１０１ｂが収納ボックス１５０の前側にビスによって締め付けられて固定される。これによって、収納ボックス１５０に機械式回転図柄装置１１０が、その回転体収納フレーム１０２のおいて固定されるようになっている。この際、回転体収納フレーム１０２の後壁板１０３が、収納ボックス１５０の後開口窓１５２から僅かに後方へ突出された状態で露出されるようになっている。
【００４７】
図２０と図２２に示すように、機械式回転図柄装置１１０の円形リールよりなる回転図柄表示体１１１は、耐久性に優れる合成樹脂製あるいは軽金属製の円形リール体（例えば、直径２１５ｍｍ）の外周面に数字、図柄、模様等の複数種類の抽選図柄（「当たり」「外れ」に関する図柄）が配置されて構成されている。
そして、各列の回転図柄表示体１１１の前部外周部分が、回転体収納フレーム１０２の前側に露出するとともに、扉体２１の主開口窓２３に望んでおり、遊技者は、扉体２１の主開口窓２３の透視板２３ａを透して全列の回転図柄表示体１１１の前側部分が視認可能となっている。
【００４８】
また、各列の回転図柄表示体１１１は、それぞれ別個で独立的に駆動制御される駆動モータ（図示しないが回転体収納フレーム１０２内に３基配設されている）を駆動源とし、かつ主制御基板ボックス１２０内の主制御基板１２１によって回転制御されるようになっている。
すなわち、複数の回転図柄表示体１１１は、遊技機の前側（扉体２１）に設けられた球投入ボタン（ベッドボタン）４０が操作されて所定数のパチンコ球Ｂが取り込まれたことを条件として、始動レバー４１が操作されることで複数の回転図柄表示体１１１がそれぞれの駆動モータによって回転駆動される。その後、複数の回転図柄表示体１１１にそれぞれ対応する第１〜第３のストップボタン４２、４３、４４が操作されることで、複数の回転図柄表示体１１１の回転が停止するようになっている。
また、扉体２１の主開口窓２３を透して視認されかつ複数の回転図柄表示体１１１の表示面にそれぞれ個別に表示された各抽選図柄（３つの図柄）の列が所定の当たり図柄列を表示して停止したことを契機として、所定数の賞球が球払出装置１６６によって球受け皿２６側へ払い出さるようになっている。
なお、図２０に示すように、回転体収納フレーム１０２の後壁板１０３には、多数の放熱孔１０４が貫設されている。
【００４９】
［遊技ユニットの周辺制御基板ボックスについて］
図１９と図２２に示すように、収納ボックス１５０内には、回転体収納フレーム１０２の下ベース板１０１ａと下段下壁部１５５との間の空間部を基板ボックス格納部１２９として利用し、その基板ボックス格納部１２９には周辺制御基板ボックス１２５が収納され、例えば、係止クリップ、止めねじ等の適宜の固定手段によって収納状態に保持されるようになっている。
周辺制御基板ボックス１２５には、電気式表示装置１３０を制御するとともに、遊技機の所定位置に配設された左右のスピーカ３８及び低音スピーカ１９５を作動制御したり、ランプ、ＬＥＤ等のランプ基板３７、トップランプ基板３９を点滅制御する周辺制御基板１２６が収納されている（図３３参照）。
【００５０】
［収納ボックスの後側のコネクタ接続部について］
図２１と図２２に示すように、収納ボックス１５０の後側には、その中継基板ケース１４０に対応する基板ケース格納部１５９が形成され、その基板ケース格納部１５９の後方から中継基板ケース１４０が嵌込まれて装着されるようになっている。
図２１に示すように、中継基板ケース１４０には、周辺制御基板１２６と扉装飾駆動基板４７とを電気的に接続するための周辺中継基板１４２と、主制御基板１２１と操作中継基板４８及び外部情報・払出中継基板９４とを電気的に接続するための主中継基板１４１とがそれぞれ収納されている。
また、周辺中継基板１４２には、前記した本体枠側コネクタとしての第１コネクタ９２に接続可能な第１コネクタ１４３が、中継基板ケース１４０後端面から後方に突出して配置されている。
また、主中継基板１４１には、前記した本体枠側コネクタとしての第２コネクタ９３に接続可能な第２コネクタ１４４が中継基板ケース１４０後端面から後方に突出して配置されている。
さらに、主中継基板１４１には、前記した本体枠側コネクタとして外部情報・払出中継基板９４の第３コネクタ９５に接続可能な第３コネクタ１４５が中継基板ケース１４０後端面から後方に突出して配置されている。
そして、遊技ユニット装着部８０の前側開口部から遊技ユニット１００の収納ボックス１５０が嵌込まれる動作によって、ユニット側の第１コネクタ１４３、第２コネクタ１４４及び第３コネクタ１４５と、本体側の第１コネクタ９２、第２コネクタ９３及び第３コネクタ９５とがそれぞれ接続されるようになっている（図１６参照）。
また、この実施例において、中継基板ケース１４０の後面の左右両端部寄り部分には、本体枠７０の後止め板８７の凹部８８の係止孔８８ａ（図１３参照）に係脱可能に挿入されかつ後端部に蝶ナット状の操作部１４９を有する留め具１４８が後方に向けて突出されている。
【００５１】
また、この実施例において、図１２と図２２に示すように、遊技ユニット装着部８０内に遊技ユニット１００が収納装備された状態において、収納ボックス１５０の後壁１５１は、遊技ユニット装着部８０の後端と略同一面をなしてその後側開口部８０ｃに露出されている。
図２、図５及び図１２に示すように、遊技ユニット装着部８０の後側開口部８０ｃには、その後側開口部を後止め板８７と協働して塞ぐ後カバー体１５８が遊技ユニット装着部８０の後止め板８７と略同一面をなして着脱可能に装着されている。この後カバー体１５８は、後壁と周壁とを有して四角形の薄箱状に形成され、その周縁部の複数箇所には取付部が形成され、これら複数の取付部を通してビスが遊技ユニット装着部８０の後側開口部８０ｃの周縁部に締め付けられることで、後カバー体１５８が取外可能に装着されるようになっている。
そして、遊技ユニット装着部８０の後側開口部８０ｃに後カバー体１５８が装着された状態において、その後カバー体１５８の後壁と収納ボックス１５０の後壁１５１との間には、第１接続線束９２ａ、第２接続線束９３ａ及び第３接続線束９６ａが配線されるとともに、第１接続線束９２ａ、第２接続線束９３ａ及び第３接続線束９６ａを露出させることなく覆うようになっている。
また、図５に示すように、後カバー体１５８は、その下部において払出制御基板１８７の少なくとも第３接続線束９６ａの端末コネクタ９６ｂが接続されるコネクタ接続部を覆う大きさに形成されている。なお、図１２に示すように、後カバー体１５８の後壁には多数の放熱孔１５８ａが必要に応じて貫設されている。
また、本体枠７０に対し後カバー体１５８は、錠装置等によって施錠されたり封印手段によって封印されて管理されることが不正行為の点において望ましい。
【００５２】
［遊技ユニットの制御基板ボックス（主制御基板ボックス）について］
図２０と図２２に示すように、制御基板ボックスとしての主制御基板ボックス１２０は、その主制御基板１２１の表面（ＣＰＵ、ＲＡＭ、ＲＯＭ等の部品が装着される面）が前方に指向しかつ次に詳述する演出表示装置としての電気式表示装置１３０と並行状をなして機械式回転図柄装置１１０の上面に支持体１０５によって起立状態に支持されている。
この実施例において、機械式回転図柄装置１１０の回転体収納フレーム１０２の上面には、回転体収納フレーム１０２と略同じ幅寸法（左右方向の幅寸法）を有して断面略Ｌ字状に形成された支持体１０５が、その下部の取付基板１０５ａにおいて固定されている。そして、支持体１０５の略垂直に立ち上がる垂直板１０５ｂの前側には、主制御基板ボックス１２０が起立状態に（略垂直状態をなす縦置きの状態）支持されて装着されている。
図１８と図２２に示すように、主制御基板ボックス１２０は、支持体１０５の垂直板１０５ｂの前面に沿って装着されかつ透明な合成樹脂材によって方形の薄箱状に形成されたベース体１２２と、そのベース体１２２の前側開口部に着脱可能又は開閉可能に装着されかつ透明な合成樹脂材によってベース体１２２の前側開口部を覆う形状に形成された蓋体１２３とを備え、ベース体１２２と蓋体１２３によって構成された収納室に、機械式回転図柄装置１１０の制御を含む遊技全般の制御を行うための主制御基板１２１が、その表面（ＣＰＵ、ＲＡＭ、ＲＯＭ等の部品が装着される面）を前方に指向した状態で収納されている。
また、主制御基板ボックス１２０のベース体１２２と蓋体１２３との周縁部の相互には、周知の封印ねじ１２４ａ（例えば、締め付け方向への回転は許容され、反対方向の取り外し方向へは回転不能に形成されたワンウェイねじ）によって封印される複数の封印部１２４が切断可能に形成されている（図１８参照）。
【００５３】
［遊技ユニットの電気式表示装置（演出表示装置）について］
図２０、図２２及び図２４に示すように、機械式回転図柄装置１１０の回転体収納フレーム１０２の支持体１０５の垂直板１０５ｂの一側（扉体２１の扉体ヒンジ機構２０側）には、演出表示装置としての電気式表示装置１３０が、その表示面（次に述べる電気式表示器１３１の表示面）を前向きにして表示装置ヒンジ機構１０８によって開閉可能に装着されている。
この実施例においては、図２４に示すように、支持体１０５の垂直板１０５ｂの一側に張り出されたヒンジブラケット１０５ｃの上下部に、ヒンジ板１０６が前方に向けて水平状に突出され、これら上下の両ヒンジ板１０６にヒンジ孔１０６ａが貫設されている。
一方、電気式表示装置１３０の電気式表示器１３１の外周部を補強する金属製の補強枠１３１ａの一側に張り出されたヒンジブラケット１０７ａの上下部には、前記上下の両ヒンジ板１０６の上面にそれぞれ受け支えられるヒンジ板１０７ａが後方に向けて水平状に突出されている。そして、これら上下の両ヒンジ板１０７ａの下面に垂下状に突出されたヒンジピン１０７が、前記上下の両ヒンジ板１０６にヒンジ孔１０６ａの上方から嵌挿され、かつ上下の両ヒンジ板１０６の上面に上下の両ヒンジ板１０７ａの下面が受け支えられることによって、機械式回転図柄装置１１０の回転体収納フレーム１０２の支持体１０５に電気式表示装置１３０が、表示装置ヒンジ機構１０８のヒンジピン１０７を中心として開閉回動可能に装着されるようになっている。
すなわち、この実施例においては、支持体１０５側に設けられたヒンジ孔１０６ａを有する上下の両ヒンジ板１０６と、電気式表示器１３１側に設けられたヒンジピン１０７を有する上下の両ヒンジ板１０７とにより構成されている。
【００５４】
上述した電気式表示装置１３０は、遊技演出（例えば、大当たり演出、リーチ演出、リーチ予告演出等をキャラクタを用いて動画表示したり、あるいは図柄等を用いて変動表示する遊技演出）に関する表示を電気的に行うものであり、図１９と図２２に示すように、比較的大型、例えば、機械式回転図柄装置１１０の幅寸法と略同じ、あるいは１／２以上の幅寸法を有する大型の電気式表示器（例えば、液晶表示器、プラズマ表示器、ＥＬ表示器等）１３１を前側に有し、その電気式表示器１３１の後側に、電気式表示器１３１に対する図柄表示を制御する表示制御基板１３３が収納された表示制御基板ボックス１３２が配置されて一体状にユニット化されている。
そして、図２１と図２２に示すように、収納ボックス１５０に機械式回転図柄装置１１０がその回転体収納フレーム１０２の下ベース板１０１ａにおいて固定された状態において、電気式表示装置１３０は、その電気式表示器１３１の表示面を前向きにして収納ボックス１５０の前側開口部の上部に露出されるようになっている。
【００５５】
この実施例において、図２６に示すように、扉体２１と電気式表示装置１３０とは、遊技機の一側部において所定距離を隔てるそれぞれのヒンジ機構（扉体ヒンジ機構２０と表示装置ヒンジ機構１０８）の各ヒンジ中心を支点として同方向に開閉可能に装着されている。
また、図２２に示すように、電気式表示装置１３０が閉鎖位置（本来のセット位置）に配置されたときには、主制御基板ボックス１２０の前側が、演出表示装置としての電気式表示装置１３０によって覆われ、図２６に示すように、電気式表示装置１３０が表示装置ヒンジ機構１０８のヒンジ中心（ヒンジピン１０７の中心）を支点して前方に開かれたときには主制御基板ボックス１２０の前側が収納ボックス１５０の前側開口部から視認可能に、収納ボックス１５０内に主制御基板ボックス１２０が収納されている。
【００５６】
また、この実施例において、図１７、図２５及び図２６に示すように、収納ボックス１５０に対し電気式表示装置１３０を閉鎖位置にロックするための閉止機構２１０が収納ボックス１５０と電気式表示装置１３０との間に設けれられている。閉止機構２１０は、電気式表示装置１３０の電気式表示器１３１の自由端縁に張り出し状に形成された係合片２１１と、その係合片２１１に係脱可能に係合する位置において収納ボックス１５０の開口部上縁部に軸２１６を中心として回動操作可能に設けられた閉止部材２１５とを備えて構成されている。そして、閉止部材２１５は、軸２１６を中心として手動により回動操作されることで、その係止部２１７が係合片２１１と係合して電気式表示装置１３０を閉鎖位置に閉止保持する閉止位置（ロック位置）と、その閉止位置から所定方向に略９０度変位されかつ係止部２１７が係合片２１１から外れる非係合位置（ロック解除位置）とに配置切換されるようになっている、なお、図２５においては係止部２１７が係合片２１１から外れた非係合状態を示す。
このようにして、収納ボックス１５０に対し電気式表示装置１３０を閉止機構２１０によって閉鎖位置にロックすることで、遊技ユニット１００を単独で保管したり、あるいは単独で運搬する場合において、電気式表示装置１３０が表示装置ヒンジ機構１０８のヒンジ中心を支点として不測に回動することがないようになっている。
なお、本体枠７０の遊技ユニット装着部８０に遊技ユニット１００が装着された後、閉止部材２１５は、閉止位置から所定方向に略９０度、回動操作されて非係合位置に配置切換される。
【００５７】
［遊技ユニットの電気式表示装置（演出表示装置）の封印手段について］
図１１、図１７及び図２５に示すように、電気式表示装置１３０と収納ボックス１５０との間に電気式表示装置１３０を閉鎖位置で封印する封印手段２２０が設けられることが望ましい。
この場合、遊技ユニット１００を単独で保管したり、あるいは単独で運搬する場合において、収納ボックス１５０に対し電気式表示装置１３０が封印手段２２０によって閉鎖位置に封印されることによって、主制御基板ボックス１２０の主制御基板１２１に対する不正行為（例えば、制御基板のＲＯＭが不正ＲＯＭと不測に交換される不正行為）を防止することができる。
また、封印手段２２０としては、図２５に示す周知の構造の結束ベルトに、特殊な刻印を施したり、特殊な色で着色を施す等によって遊技機の所有者、管理者以外では入手や製作が困難な結束ベルト２２１を用いることができる。この場合、結束ベルト２２１のベルト部２２２を、電気式表示装置１３０と収納ボックス１５０との相互に設けられた掛け止め部２２５、２２６にわたって掛け渡し、そのベルト部２２２をバックル部２２３に挿通し、バックル部２２２のロック爪（図示しない）と、ベルト部２２２のベルト方向に配列された多数の係止歯（図示しない）のうちの少なくとも一つの係止歯とを噛み合わせることによって、電気式表示装置１３０を閉鎖位置で容易に封印することができる。結束ベルト２２１によって封印した後、その結束ベルト２２１が不正に切断された場合には、その切断痕により不正行為がなされたことが容易に予測することができる。
なお、本体枠７０の遊技ユニット装着部８０に遊技ユニット１００が装着された後は、結束ベルト２２１のベルト部２２２が切断されて結束ベルト２２１が取り外されることで電気式表示装置１３０が開封される。
また、封印手段２２０としては、紐、ワイヤ、ベルト等の切断可能な可撓性長尺部材を電気式表示装置１３０と収納ボックス１５０との相互に形成された掛け止め部にわたって掛け渡し、その可撓性長尺部材の両端部を金属製または合成樹脂製の封印体によって結束状態に封印することによっても構成することができる。
【００５８】
［扉体と電気式表示装置（演出表示装置）との開閉連動機構について］
図２６〜図３２に示すように、電気式表示装置１３０と扉体２１との間には、扉体２１の開閉動作に連動してその開閉方向と同方向に電気式表示装置１３０を開閉動作させる開閉連動機構２３０が設けられている。
この実施例において、開閉連動機構２３０は、扉体２１の開閉動作に連動しかつ電気式表示装置１３０を開閉扉２１と平行する姿勢に保持して開閉動作させる平行リンク機構２３１によって構成されている。
【００５９】
図２７〜図２９に示すように、平行リンク機構２３１は、第１、第２のリンクアーム２３２、２３５、スライド体２４０、案内レール２４１、リンク押え板２７０、リンク支持体２５０及び取付体２６０を備えて構成されている。
図２８と図２９に示すように、対をなす第１、第２のリンクアーム２３２、２３５は、合成樹脂材によって形成され、これら第１、第２のリンクアーム２３２、２３５の各両端部には軸孔２３２ａ、２３２ｂ、２３５ａ、２３５ｂが貫設されており、第１のリンクアーム２３２の軸孔２３２ａ、２３２ｂの中心間の距離と、第２のリンクアーム２３５の軸孔２３５ａ、２３５ｂの中心間の距離は同じ寸法に設定されている。
図２７に示すように、案内レール２４１は、丸棒材によって形成され、電気式表示装置１３０の電気式表示器１３１の上縁左右両側部に形成された両レール支持部１３１ａの軸孔に嵌挿された後、これら両レール支持部１３１ａに止めねじ（図示しない）によって抜け止めされることで、両レール支持部１３１ａに跨って水平状に固定されるようになっている。
【００６０】
図２９に示すように、スライド体２４０は、例えば、合成樹脂材によって筒状に形成され、案内レール２４１の軸方向にスライド可能に嵌挿されている。このスライド体２４０の上面には、第１、第２のリンクアーム２３２、２３５の各一方の端部を左右方向に所定間隔を隔てて回動可能に連結するための両連結軸２３４、２３７が垂直をなして一体に突設されている。そして、スライド体２４０の両連結軸２３４、２３７の上方から第１、第２のリンクアーム２３２、２３５の各端部の軸孔２３２ａ、２３５ａが嵌挿された後、図２８に示すように、両連結軸２３４、２３７の先端部に跨ってリンク押え板２７０が装着されることによって、スライド体２４０の両連結軸２３４、２３７に第１、第２のリンクアーム２３２、２３５が、その軸孔２３２ａ、２３５ａにおいて回動可能に連結保持されるようになっている。
すなわち、この実施例において、図２８と図２９に示すように、リンク押え板２７０の長手方向両端部には、両連結軸２３４、２３７の先端部外周面に弾性的に拡開されて嵌込まれることで両連結軸２３４、２３７の先端部外周面に係合するＣ字状の係合片２７１、２７２がそれぞれ形成されている。
【００６１】
また、この実施例において、リンク押え板２７０の下面には、左右の両連結片２７３、２７４が垂下状をなして突設され、これら両連結片２７３、２７４には係止孔２７３ａ、２７４ａが同一中心線上に貫設されている。
一方、スライド体２４０の上面には、リンク押え板２７０を回動可能に支持するための左右の両支持片２７５、２７６が左右の両連結片２７３、２７４の外側に対向する位置において突設され、これら両支持片２７５、２７６の対向面には、両連結片２７３、２７４には係止孔２７３ａ、２７４ａに回動可能に嵌挿される支持ピン２７５ａ、２７６ａが突設されている。さらに、両支持ピン２７５ａ、２７６ａの先端部には上向き傾斜面をなす案内面２７５ｂ、２７６ｂが形成されている。
そして、スライド体２４０の両連結軸２３４、２３７の上方から第１、第２のリンクアーム２３２、２３５の端部に貫設された軸孔２３２ａ、２３５ａが嵌挿された後、図２８に示すように、両連結軸２３４、２３７の上方からリンク押え板２７０の両係合片２７１、２７２がそれぞれ嵌込まれるリンク押え板２７０の移動によって、両支持片２７５、２７６の支持ピン２７５ａ、２７６ａの案内面２７５ｂ、２７６ｂに両連結片２７３、２７４の先端が滑走案内されてこれら両連結片２７３、２７４が一旦狭まる方向に弾性変形される。引き続いて、両支持片２７５、２７６の支持ピン２７５ａ、２７６ａと両連結片２７３、２７４の係止孔２７３ａ、２７４ａとが一致する位置までリンク押え板２７０が移動されると、両連結片２７３、２７４が元の状態に弾性復帰し、これによって、両支持片２７５、２７６の支持ピン２７５ａ、２７６ａと両連結片２７３、２７４の係止孔２７３ａ、２７４ａとが嵌合してリンク押え板２７０が支持ピン２７５ａ、２７６ａを中心として回動可能に装着されるようになっている。
そして、スライド体２４０の両連結軸２３４、２３７に対し第１、第２のリンクアーム２３２、２３５の連結を外すときには、図２８の２点鎖線に示すように、リンク押え板２７０を支持ピン２７５ａ、２７６ａを中心として下方に回動して、リンク押え板２７０の両係合片２７１、２７２を弾性的に拡開させながら両連結軸２３４、２３７の先端から強制的に離脱させることによって、第１、第２のリンクアーム２３２、２３５の連結を容易に手早く外すことができるようになっている。
【００６２】
図２９に示すように、リンク支持体２５０は、例えば、合成樹脂材によって横断面Ｌ字状に形成され、その下板２５０ａの上面には、第１、第２のリンクアーム２３２、２３５の各他方の端部を左右方向に所定間隔を隔てて回動可能に連結するための両連結軸２３３、２３６が垂直をなして一体に突設されている。そして、リンク支持体２５０の両連結軸２３３、２３６の上方から第１、第２のリンクアーム２３２、２３５の各端部の軸孔２３２ｂ、２３５ｂが嵌挿された後、両連結軸２３３、２３６の先端面に止めねじ２８０、２８１がそれぞれねじ込まれることで、リンク支持体２５０の両連結軸２３３、２３６に第１、第２のリンクアーム２３２、２３５がその各軸孔２３２ｂ、２３５ｂにおいて回動可能に連結保持されるようになっている。
【００６３】
図２７〜図２９に示すように、リンク支持体２５０は、取付体２６０を介して扉体２１の後面に位置決めされて固定されている。すなわち、取付体２６０は、ボルト、弾性クリップ等の取付手段（図示しない）によって扉体２１の後面上部の所定位置に位置決めされて固定されている。そして、取付体２６０の一端部には、リンク支持体２５０の一端部に形成されたＬ字状の差込片２５１が差し込まれる差込部２６１が形成され、取付体２６０の他端部には、リンク支持体２５０の他端部の差込片２５２の上部が前記差込片２５１と同方向から差し込まれる差込部２６２が形成されている。
さらに、リンク支持体２５０の所定位置には、前記両差込片２５１、２５２が両差込部２６１、２６２に差し込まれたときにリンク支持体２５０の係合孔２５３の端縁に係合して抜け止めをなす抜止爪２６３が形成されている。
そして、扉体２１の後面に取付手段（図示しない）によって取付体２６０が固定された状態で、リンク支持体２５０の両差込片２５１、２５２が両差込部２６１、２６２に差し込まれ、リンク支持体２５０の係合孔２５３の端縁に抜止爪２６３が係合することによって、扉体２１の後面に取付体２６０を介してリンク支持体２５０が位置決め固定されるようになっている。
【００６４】
また、この実施例においては、図３２に示すように、扉体２１が約９０度〜１１０度の角度で開放された全開時において、案内レール２４１と第１、第２のリンクアーム２３２、２３５とがなす角度θ１、θ２が最大となる。これらの角度θ１、θ２が最大で４０度以上にならないように、平行リンク機構２３１の第１、第２のリンクアーム２３２、２３５の長さ、スライド体２４０、案内レール２４１、リンク支持体２５０の各取付位置等が設定されている。これによって、扉体２１の開閉動作時において、第１、第２のリンクアーム２３２、２３５を介してスライド体２４が案内レール２４１に対し円滑にスライドするようになっている。なお、案内レール２４１と第１のリンクアーム２３２がなす角度θ１と、案内レール２４１と第２のリンクアーム２３５とがなす角度θ２は常に同角度であることはいうまでもない。
また、図２９に示すように、スライド体２４０に、その外周面から軸孔にわたってねじ孔（雌ネジ）２４０ａを貫通状に形成し、そのねじ孔２４０ａに止めねじ２４０ｂをねじ込んで止めねじ２４０ｂの先端を案内レール２４１の外周面に圧接、またはくい込ませることで、案内レール２４１に対しスライド体２４０を所定位置に止着することも可能である。この場合には、平行リンク機構２３１の第１、第２のリンクアーム２３２、２３５を所定の姿勢に拘束して電気式表示装置１３０を閉鎖位置に保持することができるため、電気式表示装置１３０を閉鎖位置にロックするための係合片２１１と、閉止部材２１５とを備えた閉止機構２１０が不要となる。なお、本体枠７０の遊技ユニット装着部８０に遊技ユニット１００が装着された後、止めねじ２４０ｂは、スライド体２４０の外周面に接触することがないように緩められたり、あるいは取り外される。
【００６５】
［本体枠と遊技ユニットの配線接続について］
図３３のブロック図に示すように、交流電源は分電基板１８０を経て電源基板１８２に流れ、電源基板１８２で直流電力に変換されて払出制御基板１８７に供給される。また、交流電源は分電基板１８０及び球貸機中継基板１９９を経て球貸機２００に供給される。
払出制御基板１８７には、各種検出器からの信号や主制御基板１２１からの信号が伝達される。
主制御基板１２１は遊技全般を制御し、周辺制御基板１２６は周辺機器を制御する。
主制御基板１２１には、扉体２１の球投入ボタン４０、始動レバー４１、第１〜第３ストップボタン４２、４３、４４の各操作信号、球取込装置３０の取込信号等が操作中継基板４８、主中継基板１４１を介して伝達される。
これに基づいて、主制御基板１２１は機械式回転図柄装置１１０を制御するとともに、周辺制御基板１２６に遊技に関する信号を伝達する。
また、主制御基板１２１は、球取込みや払い出しに関する外部信号を外部情報・払出中継基板９４を介して外部端子板に伝達し、その外部端子板に伝達された信号は、例えばホールコンピュータに伝達する。さらに、主制御基板１２１は、賞球に関する信号を外部情報・払出中継基板９４を介して払出制御基板１８７に伝達する。
主制御基板１２１からの遊技に関する信号を受けた周辺制御基板１２６は電気式表示器１３１の表示制御基板１３３に信号を伝達し、電気式表示器１３１に遊技演出に関する動画が表示される。さらに、周辺制御基板１２６は、扉装飾駆動基板４７に接続されたランプ基板３７、トップランプ基板３９、左右のスピーカ３８及び低音スピーカ１９５を作動制御する。
【００６６】
［実施例の作用効果について］
次に、前述したように構成されたこの実施例に係る遊技機の作用効果を説明する。
まず、扉体２１の球投入ボタン４０を操作する。すると、その信号が操作中継基板４８、主中継基板１４１を介して主制御基板１２１に伝達される。
すると、球取込装置３０の可逆転モータよりなる駆動モータ３５が作動され、駆動軸３５ａと共に、前後の両球取込回転体３３が一方向に回転駆動される。
前後の両球取込回転体３３の一方向の回転による球取込作用によって、前後２列の球取込路３２内のパチンコ球が取り込まれ、その後、取り込まれたパチンコ球Ｂが前後２個の球検出器３６を通過して機外に排出される。
前後２個の球検出器３６によって検出されたパチンコ球Ｂの合計の数が、賭け数に応じたパチンコ球Ｂの数に達して取り込まれたことを条件として、駆動モータ３５が停止される。
【００６７】
また、前後２個の球検出器３６によって検出されたパチンコ球Ｂの合計の数が、賭け数に応じたパチンコ球Ｂの数に達して取り込まれたことを条件として、始動レバー１４１を手動操作することで、機械式回転図柄装置１１０の複数の回転図柄表示体１１１の回転が始動する。
ここで、複数の回転図柄表示体１１１に対応する第１〜第３のストップボタン４２、４３、４４をそれぞれ個別に操作して、複数の回転図柄表示体１１１の回転を停止させることによって１ゲームのスロット遊技が行われる。この際、電気式表示装置１３０の電気式表示器１３１の表示面には、遊技の進行に応じて、例えば、大当たり演出、リーチ演出、リーチ予告演出等がキャラクタで動画表示されたり、あるいは演出表示用の図柄が変動表示される。
そして、扉体２１の主開口窓２３を透して視認される表示部に複数の回転図柄表示体１１１が予め設定された当たり図柄列を表示して停止したときに、球払出装置１６６の払出モータが作動され、球払出部材（回転体）が駆動される。これによって、所定数のパチンコ球が球払出装置１６６の払出口から連絡通路部材２９の連絡通路を経て球受け皿２６に払い出される。
【００６８】
さて、この実施例において、遊技機ホールのパチンコ機用島設備に設置可能に方形枠状に形成された外枠１０に本体ヒンジ機構６０によって本体枠７０が開閉可能に装着され、本体枠７０の遊技ユニット装着部８０に遊技ユニット１００が装着され、本体枠７０の前側に扉体ヒンジ機構２０によって扉体２１が開閉可能に装着されることによって、遊技機ホールのパチンコ機用島設備に設置可能な遊技機が構成される。また、本体枠７０の遊技ユニット装着部８０に遊技ユニット１００が装着された後、閉止部材２１５は、閉止位置から所定方向に略９０度、回動操作されて非係合位置に配置切換されるとともに、封印手段２２０としての結束ベルト２２１は、そのベルト部２２２が切断されて取り外されることで開封される。
そして、遊技ユニット１００の収納ボックス１５０内には、機械式回転図柄装置１１０、電気式表示装置（この発明の遊技表示装置に相当する）１３０、主制御基板１２１（この発明の制御基板に相当する）を有する主制御基板ボックス（この発明の制御基板ボックスに相当する）１２０、周辺制御基板１２６を有する周辺制御基板ボックス１２５等がそれぞれ収納されて保護される。
【００６９】
また、この実施例において、図２２と図２６に示すように、収納ボックス１５０の前側開口部の一側部に表示装置ヒンジ機構１０８によって開閉可能に装着された電気式表示装置１３０によって主制御基板ボックス１２０の前側が覆われる。
このため、遊技機の後側から主制御基板ボックス１２０の主制御基板１２１に対し不正行為（例えば、制御基板のＲＯＭが不正ＲＯＭと不測に交換される不正行為）がなされることを遊技ユニット１００の収納ボックス１５０によって防止することができる。
さらに、遊技機の前側から主制御基板ボックス１２０の主制御基板１２１に対し不正行為がなされることを電気式表示装置１３０によって防止することができる。
【００７０】
また、この実施例において、図２６に示すように、扉体２１と電気式表示装置１３０とは、遊技機の一側部において所定距離を隔てるそれぞれのヒンジ機構（扉体ヒンジ機構２０及び表示装置ヒンジ機構１０８）の各ヒンジ中心を支点として同方向に開閉可能に設けられている。
また、電気式表示装置１３０と扉体２１との間には、扉体２１の開閉動作に連動してその開閉方向と同方向に電気式表示装置１３０を開閉動作させる開閉連動機構２３０が設けられている。
この実施例において、図２６に示すように、開閉連動機構２３０は、対をなす第１、第２のリンクアーム２３２、２３５と、これら第１、第２のリンクアーム２３２、２３５の一端部を所定間隔を保って連結軸２３３、２３６によって回動可能に連結しかつ扉体２１の後側上部に固定状態で装着されたリンク支持体２５０と、第１、第２のリンクアーム２３２、２３５の一端部を所定間隔を保って連結軸２３４、２３７によって回動可能に連結しかつ電気式表示装置１３０の上部の案内レール２４１に沿って横方向にスライド可能に嵌挿されたスライド体２４０とを備えた平行リンク機構２３１によって構成されている。
【００７１】
したがって、扉体２１を扉体ヒンジ機構２０のヒンジ中心を支点として前方に開くと、第１、第２のリンクアーム２３２、２３５は、扉体２１に対し連結軸２３４、２３７を中心として回動しながらスライド体２４０を案内レール２４１に沿ってヒンジ側から自由端側に向けてスライドさせる。これによって、電気式表示装置１３０が扉体２１と並行状態を保って表示装置ヒンジ機構１０８のヒンジ中心を支点として前方に開かれる。
また、前記とは逆に、扉体２１を元の状態に閉じると、第１、第２のリンクアーム２３２、２３５が前記とは逆方向に回動しながらスライド体２４０を案内レール２４１に沿って自由端側からヒンジ側に向けてスライドさせる。これによって、電気式表示装置１３０が扉体２１と並行状態を保って元の状態に閉じられる。
【００７２】
前記したように、開閉連動機構２３０によって扉体２１の開閉動作に連動してその開閉方向と同方向に電気式表示装置１３０を開閉動作させることができるため、主制御基板ボックス１２０及び主中継基板１４１の点検、あるいは不正の有無の確認を行う場合においては、扉体２１を前方に開くことによって、これに連動して電気式表示装置１３０が前方に開かれるとともに、主制御基板ボックス１２０及び主中継基板１４１が前方から視認可能となる。このため、主制御基板ボックス１２０及び主中継基板１４１の目視による点検、あるいは不正の有無の確認を容易に行うことができる。
また、主制御基板ボックス１２０及び主中継基板１４１の定期的あるいは不定期的な点検以外、例えば、扉体２１を前方に開いて球詰まりの解消作業を行ったり、あるいは機械式回転図柄装置１１０等の各種装置、部品等を点検、交換する場合等において、扉体２１を前方に開くことで、その扉体２１の開き動作に連動して電気式表示装置１３０が前方に開かれるとともに、主制御基板ボックス１２０及び主中継基板１４１が前方から視認可能となる。このため、主制御基板ボックス１２０及び主中継基板１４１に対する不正行為を早期に発見することが可能となる。
【００７３】
また、第１、第２のリンクアーム２３２、２３５を有する平行リンク機構２３１によって開閉連動機構２３０が構成されることによって、扉体２１の開閉動作に連動して扉体２１と平行状態を保って電気式表示装置１３０が開閉動作される。これによって、扉体２１の開閉動作時において扉体２１に電気式表示装置１３０が衝突したり、あるいは扉体２１の後側に配線される各種の接続線に電気式表示装置１３０が引っかかり、接続線が損傷される等の不具合を良好に防止することができる。さらに、扉体２１の開閉動作に連動して扉体２１と平行状態を保って開閉動作されるとともに、主中継基板１４１の表面（ＣＰＵ、ＲＯＭ、ＲＡＭ等の部品が装着される面）が前方に指向して電気式表示装置１３０と並行状をなしている。このため、主制御基板ボックス１２０と電気式表示装置１３０との間に無駄な空間を設けることなく主制御基板ボックス１２０と電気式表示装置１３０とを前後に接近させて合理的に配置することができる。
【００７４】
また、第１、第２のリンクアーム２３２、２３５を有する平行リンク機構２３１を扉体２１と、電気式表示装置１３０との間に組み付ける場合には、まず、第１、第２のリンクアーム２３２、２３５の端部を回動可能に連結しているスライド体２４０が、案内レール２４１にスライド可能に嵌挿される。次に、案内レール２４１が電気式表示装置１３０の電気式表示器１３１の上部左右に設けられた支持部１３１ａの間に跨って固定される。
一方、第１、第２のリンクアーム２３２、２３５の端部を回動可能に連結しているリンク支持体２５０が、扉体２１の後面上部の所定位置に取付手段（図示しない）によって固定された取付体２６０の一側において、リンク支持体２５０の両差込片２５１、２５２が両差込部２６１、２６２に差し込まれ、リンク支持体２５０の係合孔２５３の端縁に抜止爪２６３が係合することによって、扉体２１の後面に取付体２６０を介してリンク支持体２５０が位置決め固定される。
前記したようにして、扉体２１と、電気式表示装置１３０との間に平行リンク機構２３１を容易に組み付けることができる。
【００７５】
また、この実施例の平行リンク機構２３１において、平行リンク機構２３１を扉体２１と、電気式表示装置１３０との間に組み付ける場合には、予め、扉体２１の後面上部の所定位置に取付体２６０を介してリンク支持体２５０を位置決め固定し、リンク支持体２５０の両連結軸２３３、２３６の上方から第１、第２のリンクアーム２３２、２３５の各端部の軸孔２３２ｂ、２３５ｂを嵌挿して、両連結軸２３３、２３６の先端面に止めねじ２８０、２８１をねじ込んで、第１、第２のリンクアーム２３２、２３５を回動可能に連結してから、第１、第２のリンクアーム２３２、２３５をスライド体２４０の両連結軸２３４、２３７にリンク押え板２７０を介して回動可能に連結することで、扉体２１と、電気式表示装置１３０との間に平行リンク機構２３１を容易に組み付けることもできる。
さらに、スライド体２４０の両連結軸２３４、２３７に対し第１、第２のリンクアーム２３２、２３５の連結を外すときには、図２８の２点鎖線に示すように、リンク押え板２７０を支持ピン２７５ａ、２７６ａを中心として下方に回動して、リンク押え板２７０の両係合片２７１、２７２を弾性的に拡開させながら両連結軸２３４、２３７の先端から強制的に離脱させることによって、第１、第２のリンクアーム２３２、２３５の連結を容易に手早く外すことができる。
また、この実施例の平行リンク機構２３１を用いることによって、扉体２１の開閉動作時において、電気式表示装置１３０のガタツキを防止しながら同電気式表示装置１３０を開閉案内することができる。
【００７６】
また、この実施例において、主制御基板ボックス１２０は、その主中継基板１４１の表面が前方に指向しかつ電気式表示装置１３０と並行状をなして機械式回転図柄装置１１０の上面又は下面に支持体（この実施例では回転体収納フレーム１０２の上面に設けられた支持体１０５の垂直板１０５ｂ）の前側に起立状態に支持されている。このため、収納ボックス１５０の前側開口部から起立状態にある主制御基板ボックス１２０の主中継基板１４１の表面を透明な蓋体を透して容易に視認することができる。
【００７７】
また、この実施例において、図２５に示すように、電気式表示装置１３０と収納ボックス１５０との間には、前記電気式表示装置１３０を閉鎖位置で封印する封印手段２２０が設けられている。このため、遊技ユニット１００を単独で保管したり、あるいは単独で運搬する場合において、収納ボックス１５０に対し電気式表示装置１３０が封印手段２２０としての結束ベルト２２１によって閉鎖位置に封印されることによって、主制御基板ボックス１２０に対する不正行為を防止することができる。
なお、前にも述べたように、封印手段２２０としての結束ベルト２２１は、本体枠７０の遊技ユニット装着部８０に遊技ユニット１００が装着された後、ベルト部２２が切断されて取り外されることで開封される。
【００７８】
［他の実施例について］
なお、この発明は前記実施例に限定するものではない。
例えば、前記実施例においては、開閉連動機構２３０を構成する平行リンク機構２３１が第１、第２のリンクアーム２３２、２３５、リンク支持体２５０及びスライド体２４０を備えて構成される場合を例示したが、例えば、図３４と図３５に示すように、扉体２１と電気式表示装置１３０と間において、扉体ヒンジ機構２０と表示装置ヒンジ機構１０８の各ヒンジ中心を通る線と平行なリンクアーム２９０を設け、そのリンクアーム２９０の一端部を連結軸によって扉体２１に回動可能に連結し、同リンクアーム２９０の他端部を連結軸によって電気式表示装置１３０に回動可能に連結して平行リンク機構を構成することも可能である。
但し、この場合には、扉体ヒンジ機構２０と表示装置ヒンジ機構１０８の各ヒンジ中心間の距離と、リンクアーム２９０の両端の連結軸の中心間の距離を等しくして四節の平行リンク機構を構成することが望ましい。
この場合おいても、図３４と図３５に示すように、開閉連動機構２３０を構成するリンク機構（リンクアーム２９０）によって、扉体２１の開閉動作に連動して電気式表示装置１３０が所定の姿勢に保持されて開閉動作される。この結果、扉体２１の開閉動作時において扉体２１の後面やその後面に配設された各種部品に電気式表示装置１３０が当たったり、あるいは扉体２１の後側に配線された接続線に電気式表示装置１３０に引っかかり、接続線が損傷される等の不具合を良好に防止することができる。
【００７９】
また、開閉連動機構２３０は、電気式表示装置１３０を常に前方に向けて附勢するばね等の附勢手段によって構成されてもよい。この場合、扉体２１が閉じられた状態にあるときには、電気式表示装置１３０が扉体２１の後側に当接して所定の表示姿勢に保たれる。また、扉体２１が開かれるときには電気式表示装置１３０がばね等の附勢手段によって扉体２１に追従しかつヒンジピン１０７を中心として前方に回動されることで、遊技機の前方から主制御基板ボックス１２０が前側全体が視認可能となる。
すなわち、開閉連動機構２３０は、扉体２１の開き動作に連動して電気式表示装置１３０を前方に開き、これとは逆に、扉体２１が元の位置まで閉じられると、扉体２１の閉じ動作に連動して電気式表示装置１３０を元の位置まで閉じる構造であればどのような構成のものでもよい。
また、開閉連動機構２３０によって扉体２１の開閉動作に連動してその開閉方向と同方向に電気式表示装置１３０を開閉動作させることで、主制御基板ボックス１２０及び主中継基板１４１の目視による点検、あるいは不正の有無の確認を容易に行うことができる。 また、開閉連動機構２３０は必ずしも設けなくてもこの発明を実施することができる。この場合、遊技演出装置としての電気式表示装置１３０を閉止手段によって閉鎖位置に閉止することが望ましい。
【００８０】
また、前記実施例においては、パチンコ球を用いてスロット遊技を行う遊技機である場合を例示したが、球受け皿のパチンコ球を球発射装置によって遊技盤の遊技領域に発射させ、その遊技盤に対し遊技に関する遊技装置としての各種入賞装置、役物装置等が装着されて遊技ユニットが構成されたパチンコ機であってもこの発明を実施することができる。
【図面の簡単な説明】
【００８１】
【図１】この発明の実施例に係る遊技機を前方から示す斜視図である。
【図２】同じく外枠に対し本体枠が開放された状態を前方から示す斜視図である。
【図３】同じく本体枠に対し扉体が開放された状態を前方から示す斜視図である。
【図４】同じく遊技機の正面図である。
【図５】同じく遊技機の背面図である。
【図６】同じく。後カバー体を外して第１、第２接続線束が本体枠の配線孔の後側から挿通された状態を示す背面図である。
【図７】同じく後カバー体を外して第３接続線束の端末コネクタが払出制御基板の基板コネクタに接続された状態を示す背面図である。
【図８】同じく遊技機の側面図である。
【図９】同じく球取込装置を示す斜視図である。
【図１０】同じく球取込装置の正断面面である。
【図１１】同じく本体枠の遊技ユニット装着部に遊技ユニットが装着された状態を前方から示す斜視図である。
【図１２】同じく本体枠の遊技ユニット装着部に遊技ユニットが装着された状態を後方下側から示す斜視図である。
【図１３】同じく本体枠を前方下側から示す斜視図である。
【図１４】同じく本体枠を後方下側から示す斜視図である。
【図１５】同じく本体枠の後止め板の前側に取り付けられるコネクタ支持体にコネクタが配置された状態を示す正面図である。
【図１６】同じく図１５のＸＶＩ−ＸＶＩ線に基づく平断面図である。
【図１７】同じく遊技ユニットを示す正面図である。
【図１８】同じく電気式表示装置を取り外した状態の遊技ユニットを示す正面図である。
【図１９】同じく遊技ユニットの構成部材を分解して前方から示す斜視図である。
【図２０】同じく遊技ユニットの機械式回転図柄装置と電気式表示装置の装着状態を後方から示す斜視図である。
【図２１】同じく遊技ユニットの機械式回転図柄装置と制御基板ボックスとが収納ボックスによって一括的に収納された状態を後方から示す斜視図である。
【図２２】同じく本体枠の遊技ユニット装着部に遊技ユニットが装着された状態を示す側断面図である。
【図２３】同じく本体枠の遊技ユニット装着部に遊技ユニットが装着された状態を示す平断面図である。
【図２４】同じく遊技ユニットの機械式回転図柄装置の支持体と電気式表示装置との間に配設された表示装置ヒンジ機構を斜め左上前方から示す分解斜視図である。
【図２５】同じく遊技ユニットの収納ボックスと電気式表示装置との間に配設された封印手段を斜め右下前方から示す斜視図である。
【図２６】同じく本体枠に対し扉体が開放された状態を前方から拡大して示す斜視図である。
【図２７】同じく本体枠に対し扉体が開放されたときの開閉連動機構を示す斜視図である。
【図２８】同じく電気式表示装置と扉体との間に配設された開閉連動機構を示す斜視図である。
【図２９】同じく開閉連動機構の構成部品を分解して示す斜視図である。
【図３０】同じく外枠に対し本体枠及び扉体が閉じられた状態にあるときの開閉連動機構を示す平断面である。
【図３１】同じく外枠に対し本体枠及び扉体が半開き状態にあるときの開閉連動機構を示す平断図である。
【図３２】同じく外枠に対し本体枠及び扉体が開かれた状態にあるときの開閉連動機構を示す平断図である。
【図３３】同じく各種の電気的装置及び部品等に係る配線接続を例示するブロック図である。
【図３４】開閉連動機構を構成するリンク機構の他の実施態様を示し扉体が閉じた状態にあるときのリンク機構を示す説明図である。
【図３５】同じく扉体が開いた状態にあるときのリンク機構を示す説明図である。
【符号の説明】
【００８２】
１０ 外枠
２１ 扉体
７０ 本体枠
８０ 遊技ユニット装着部
１００ 遊技ユニット
１０２ 回転体収納フレーム
１１０ 機械式回転図柄装置
１１１ 回転図柄表示体
１２０ 主制御基板ボックス
１２１ 主制御基板
１２５ 周辺制御基板ボックス
１２６ 周辺制御基板
１３０ 電気式表示装置（演出表示装置）
１３１ 電気式表示器
２３０ 開閉連動機構
２３１ 平行リンク機構
２３２ 第１のリンクアーム
２３５ 第２のリンクアーム
２４０ スライド体
２４１ 案内レール
２５０ リンク支持体
【図１】
0004798701.tif 000002
【図２】
0004798701.tif 000003
【図３】
0004798701.tif 000004
【図４】
0004798701.tif 000005
【図５】
0004798701.tif 000006
【図６】
0004798701.tif 000007
【図７】
0004798701.tif 000008
【図８】
0004798701.tif 000009
【図９】
0004798701.tif 000010
【図１０】
0004798701.tif 000011
【図１１】
0004798701.tif 000012
【図１２】
0004798701.tif 000013
【図１３】
0004798701.tif 000014
【図１４】
0004798701.tif 000015
【図１５】
0004798701.tif 000016
【図１６】
0004798701.tif 000017
【図１７】
0004798701.tif 000018
【図１８】
0004798701.tif 000019
【図１９】
0004798701.tif 000020
【図２０】
0004798701.tif 000021
【図２１】
0004798701.tif 000022
【図２２】
0004798701.tif 000023
【図２３】
0004798701.tif 000024
【図２４】
0004798701.tif 000025
【図２５】
0004798701.tif 000026
【図２６】
0004798701.tif 000027
【図２７】
0004798701.tif 000028
【図２８】
0004798701.tif 000029
【図２９】
0004798701.tif 000030
【図３０】
0004798701.tif 000031
【図３１】
0004798701.tif 000032
【図３２】
0004798701.tif 000033
【図３３】
0004798701.tif 000034
【図３４】
0004798701.tif 000035
【図３５】
0004798701.tif 000036